(57)【特許請求の範囲】
【請求項１】
上面が開口した器状であってその底壁が屈曲状に成形され該底壁の一部に網目状通気口が開設されたプラスチック製の底部材と、上壁および三側壁が一体に成形され他側面および底面が開口し上壁に網目状通気口が開設された一対の縦方向半割部材とからなり、該縦方向半割部材の側面開口部を互いに合着させ筒形とすることで前記底部材上に起立状に嵌着されるようにしたことを特徴とする浄化槽用プラスチック製区画容器。
【請求項２】
上面が開口した器状であってその底壁が屈曲状に成形され該底壁の一部に網目状通気口が開設されたプラスチック製の底部材と、該底部材の上面開口に嵌着される枠形部材と、上壁および三側壁が一体に成形され他側面および底面が開口し上壁に網目状通気口が開設された一対の縦方向半割部材とからなり、該縦方向半割部材の側面開口部を互いに合着させ筒形とすることで前記枠形部材上に起立状に連設されるようにしたことを特徴とする浄化槽用プラスチック製区画容器。
【発明の詳細な説明】
【０００１】
【発明の属する技術分野】
本発明は生活排水を浄化する浄化槽の内部に設けられるプラスチック製の区画容器の組立構造に関するものである。
【０００２】
【従来の技術】
一般に生活用排水を浄化するため一戸毎に設置される浄化槽では、その家族人数等に応じた適宜処理能力を備えた浄化槽を設置する必要性がある。そのために、浄化槽内に設けられる区画容器は、大きさの違うものを数種類製作する必要がある。このため製作コストが高くならざるを得ないという問題がある。特にプラスチックの射出成形で製作しようとすると大型の高価な金型を多種類用意しなければならないので製作コストが著しく高くなるという問題があった。
【０００３】
【発明が解決しようとする課題】
そこで本発明は、大きさの異なる数種の区画容器をプラスチックの射出成形によって低コストで製作し得るようにするものである。即ち、本発明は比較的小型の射出成形用金型によって大きさの異なる数種の区画容器を製作し得るようにすることで、区画容器の成形コストが軽減されるようにするものである。
【０００４】
【課題を解決するための手段】
上記課題を解決するため本発明の浄化槽用プラスチック製区画容器は、上面が開口した器状であってその底壁が屈曲状に成形され該底壁の一部に網目状通気口が開設されたプラスチック製の底部材と、上壁および三側壁が一体に成形され他側面および底面が開口し上壁に網目状通気口が開設された一対の縦方向半割部材とからなり、該縦方向半割部材の側面開口部を互いに合着させ筒形とすることで前記底部材上に起立状に嵌着されるようにしたことを特徴とする。
また本発明の浄化槽用プラスチック製区画容器は、上面が開口した器状であってその底壁が屈曲状に成形され該底壁の一部に網目状通気口が開設されたプラスチック製の底部材と、該底部材の上面開口に嵌着される枠形部材と、上壁および三側壁が一体に成形され他側面および底面が開口し上壁に網目状通気口が開設された一対の縦方向半割部材とからなり、該縦方向半割部材の側面開口部を互いに合着させ筒形とすることで前記枠形部材上に起立状に連設されるようにしたことを特徴とする。
【０００５】
【発明の実施の形態】
次に図面に従い本発明の実施の形態を説明する。図１は本発明に係るプラスチック製区画容器の分解斜視図で、１は上面が開口した器状の底部材、２は該底部材の上面開口に嵌着される枠形部材、３ａ，３ｂはさらに該枠形部材上に起立状に連設される一対の縦方向半割部材である。
【０００６】
底部材１は、図２に示したように、底壁４の略半部が略Ｖ字形に屈曲状に成形され、該屈曲面５に網目状通気口６が開設されている。なお、７は該底部材１の一側壁に平面Ｕ字形に形成された窪部である。なお、底壁４の下面には図７に示したように取付用リブ８が一体に形成されている。また、９は該底部材１の開口縁１０に適宜間隔で多数形成された係合孔である。
【０００７】
また、枠形部材２は、図３，図６，図７にも示したように、下端縁１１が前記底部材１の開口縁の内側に嵌合するように形成され、該下端縁の外周に係合孔９に係合する小突起１２が形成されている。１３ａは枠形部材２の外周で該小突起１２の上部に形成された鍔状の止縁、１３ｂは該止縁と同高位置に突設された楔状の止縁である。また、該枠形部材２の上端縁１４は前記底部材１の上面の開口縁１０と同形状同寸法に形成され、該上端縁１４に係合孔１５が適宜間隔で多数形成される。
【０００８】
また、一方の縦方向半割部材３ａは、図４にも示したように、上壁１６および三側壁１７，１８ａ，１８ｂが一体に成形され他側面および底面が開口した形態で、該上壁１６に網目状通気口２０が開設され、下端縁２１が枠形部材２の上端縁１４の内側または前記底部材１の開口縁の内側に嵌合するように形成され、該下端縁の外周に前記係合孔１５または係合孔９に係合する小突起２２が形成されている。２３ａは該小突起２２の上部に形成された鍔状の止縁、２３ｂは該止縁と同高位置に突設された楔状の止縁である。また、該縦方向半割部材３ａの側面開口縁に突条２４が突設され該突条の外面に小突起２５が適宜間隔を置いて形成される。
【０００９】
また、他方の縦方向半割部材３ｂは、図５にも示したように、上壁２６および三側壁２７，２８ａ，２８ｂが一体に成形され、他側面および底面は開口状で、側壁２７に平面Ｕ字形の窪部２９が形成され、上壁２６には網目状通気口３０が形成されているほか開口３１が形成されている。３２は縦方向半割部材３ｂとは別部材としてプラスチックで成形される網目状の開閉板で、該開閉板は開口３１の一側に突設された軸受片３３にヒンジされる。また、該縦方向半割部材３ｂの下端縁３４は枠形部材２の上端縁１４の内側または前記底部材１の開口縁の内側に嵌合するように形成され、該下端縁の外周に前記係合孔１５または係合孔９に係合する小突起３５が形成されている。３６は該小突起３５の上部に形成された鍔状の止縁である。また、該縦方向半割部材３ｂの側面開口縁の外側に突条３７を突設することで前記突条２４が挿入し得る溝３８を形成するとともに、該突条３７に小突起２５が係合し得る係合孔３９が適宜間隔を置いて開設されている。なお、４０は該係合孔３９に隣接する縦方向半割部材３ｂの外側面に形成された鍔状の止縁である。また、４１は縦方向半割部材３ａ，３ｂの外側面に形成された補強リブである。
【００１０】
上記縦方向半割部材３ａと縦方向半割部材３ｂとは、突条２４を溝３８に挿入することで小突起２５が係合孔３９に係合することから、いったん挿入すれば抜脱するおそれなく合着し縦長の筒形となる。そしてこれを前記底部材１の開口縁の内側に嵌合し小突起２２，３５を係合孔９に夫々係合させることにより、図６〜図８に示した如くの区画容器が組み立てられる。
【００１１】
また、底部材１の開口縁の内側に前記枠形部材２の下端縁１１を嵌合させ小突起１２を係合孔９に係合させるとともに、上記のようにして縦方向半割部材３ａと縦方向半割部材３ｂとを筒形に合着したものを該枠形部材２の上端縁１４の内側に嵌合し小突起２２，３５を係合孔１５に係合させることでは、図９，図１０に示した如く背高の区画容器が組み立てられる。
【００１２】
このように、枠形部材２を底部材１上に介在させ、縦方向半割部材３ａと縦方向半割部材３ｂとを筒形に合着したものを該枠形部材上に起立状に連設することにより容量の大きい区画容器でも簡単に組み立てることができ、汚水処理能力を大きくする需要にも枠形部材２を用いることで容易に応じられる。なお、枠形部材２をさらに複数段積んだり、該枠形部材２の高さの異なるものを用意することでさらに大きさの異なる多種の区画容器を構成することができる。
【００１３】
そして底部材１と枠形部材２と縦方向半割部材３ａ，３ｂは、いずれも一方に開口した形状であるので、プラスチックの射出成形型によって容易に量産することができるとともに、底部材１または枠形部材２の上面開口に縦方向半割部材３ａ，３ｂを合着させて嵌合し組み立てられるようにしたので、接着剤による接合の要もなく組立形状が安定し頑強に構成できる。また、メッシュを後加工して取り付けることなく網目状通気口６，２０，３０を一体成形できることからも製作コストを軽減することができる。そしてこの区画容器は浄化槽内に配置される。
【００１４】
なお、図１１，図１２は、本発明と同じくプラスチック製にて区画容器を構成する場合に、上記実施形態とは異なる形状に各構成部材を分割した例を示す。即ち、図１０は底部材ａ上に多段に枠形部材ｂを載置するとともに最上段に蓋部材ｃを載置してなるものであり、図１１は底部材ａ上に一対の縦方向半割部材ｄ，ｄを配置し、さらにその上に一対の縦方向半割部材ｅ，ｅを配置してなるものである。底部材ａ上にこのように分割された部材をもって組み立てることも可能である。
【００１５】
【発明の効果】
以上説明したように本発明は、プラスチックで成形された底部材と一対の縦方向半割部材とからなり、必要に応じてこれにプラスチックで成形された枠形部材を介在させ、区画容器を構成するものであるので、射出成形による量産が可能で製作コストが軽減されるとともに、大型の高価な金型を多種類用意しなくても組み合わせの如何によって大きさの違うものを簡単に製作できるようにする有益な効果がある。
【図面の簡単な説明】
【図１】本発明の実施形態を示す浄化槽用プラスチック製区画容器の分解斜視図。
【図２】本発明の実施形態を示す浄化槽用プラスチック製区画容器の底部材の拡大斜視図。
【図３】本発明の実施形態を示す浄化槽用プラスチック製区画容器の枠形部材の拡大斜視図。
【図４】本発明の実施形態を示す浄化槽用プラスチック製区画容器の一方の縦方向半割部材の拡大斜視図。
【図５】本発明の実施形態を示す浄化槽用プラスチック製区画容器の他方の縦方向半割部材の拡大斜視図。
【図６】本発明の実施形態を示す浄化槽用プラスチック製区画容器の外観斜視図。
【図７】図６に示した区画容器の縦断面図。
【図８】図７のＡ−Ａ線断面図。
【図９】本発明の実施形態を示す浄化槽用プラスチック製区画容器の外観斜視図。
【図１０】図９に示した区画容器の縦断面図。
【図１１】プラスチック製区画容器の他の実施形態を示す概略図。
【図１２】プラスチック製区画容器の他の実施形態を示す概略図。
【符号の説明】
１                      底部材
２                      枠形部材
３ａ，３ｂ              縦方向半割部材
４                      底壁
６                      網目状通気口
１６                    上壁
１７，１８ａ，１８ｂ    側壁
２０                    網目状通気口
２６                    上壁
２７，２８ａ，２８ｂ    側壁
３０                    網目状通気口
３２                    開閉板
【図１】
0003962625.tif 000002
【図２】
0003962625.tif 000003
【図３】
0003962625.tif 000004
【図４】
0003962625.tif 000005
【図５】
0003962625.tif 000006
【図６】
0003962625.tif 000007
【図７】
0003962625.tif 000008
【図８】
0003962625.tif 000009
【図９】
0003962625.tif 000010
【図１０】
0003962625.tif 000011
【図１１】
0003962625.tif 000012
【図１２】
0003962625.tif 000013